(57)【要約】【課題】  本発明は、被洗浄物表面の汚れを容易に除去することを可能とする、優れた洗浄効果を有する洗浄材を提供することを目的とする。【解決手段】  （Ａ）ＨＯ−（Ｃ2Ｈ4Ｏ）ｎ−（Ｃ3Ｈ6Ｏ）ｍ−（Ｃ2Ｈ4Ｏ）ｌ−Ｈ（ただし、ｎ、ｍおよびｌは０ではない整数）で表される、酸化エチレン／酸化プロピレン／酸化エチレン共重合体０．０５質量％以上、２０質量％未満、（Ｂ）水溶性溶剤０．１〜７０質量％、および（Ｃ）水を残質量％、含有する洗浄剤組成物ならびに当該洗浄剤組成物を含浸させた水解性シートからなる洗浄材。【選択図】  なし【特許請求の範囲】
【請求項１】
（Ａ）下記の式：
ＨＯ−（Ｃ2Ｈ4Ｏ）ｎ−（Ｃ3Ｈ6Ｏ）ｍ−（Ｃ2Ｈ4Ｏ）ｌ−Ｈ（ただし、ｎ、ｍおよびｌは０ではない整数）
で表される、酸化エチレン／酸化プロピレン／酸化エチレン共重合体０．０５質量％以上、２０質量％未満、
（Ｂ）水溶性溶剤０．１〜７０質量％、および
（Ｃ）水を残質量％、
含有する洗浄剤組成物。
【請求項２】
酸化エチレン／酸化プロピレン／酸化エチレン共重合体の平均分子量が、４，０００以上、２５，０００以下である、請求項１に記載の洗浄剤組成物。
【請求項３】
酸化エチレン／酸化プロピレン／酸化エチレン共重合体の平均分子量中に占める酸化エチレンの割合が５０質量％以上、８５質量％以下である、請求項１または２に記載の洗浄剤組成物。
【請求項４】
水溶性溶剤がアルコールである、請求項１〜３のいずれか一項に記載の洗浄剤組成物。
【請求項５】
さらに、界面活性剤を含む、請求項１〜４のいずれか一項に記載の洗浄剤組成物。
【請求項６】
キレート剤および無機ビルダーが１質量％未満の量であるか、または、含まれない、請求項１〜５のいずれか一項に記載の洗浄剤組成物。
【請求項７】
請求項１〜６のいずれか一項に記載の洗浄剤組成物を含浸させた水解性シートからなる洗浄材。
【請求項８】
トイレ清掃用の用途である、請求項１〜６のいずれか一項に記載の洗浄剤組成物または請求項７に記載の洗浄材。
【発明の詳細な説明】
【技術分野】
【０００１】
本発明は、酸化エチレン／酸化プロピレン／酸化エチレン共重合体および水溶性溶剤を含む洗浄剤組成物、ならびにそれを含浸させた水解性シートからなる洗浄材に関する。
【背景技術】
【０００２】
トイレ周辺の清掃は汚いイメージが強く、雑巾のような繰り返し使用する従来の清掃用具に代わり、使い捨て可能な清掃用具が好まれている。このような使い捨て可能な清掃用具としては、水解性シートに液状の洗浄剤組成物を含浸させた洗浄材が挙げられ、便器や便座などを拭き上げた後、トイレにそのまま流して捨てることができる。このような洗浄材に使用される水解性シートは、洗浄剤組成物などが含浸された状態においても拭き取り作業に耐え得るだけの十分な強度を有し、かつ、トイレに流し捨てた際には十分に水に分散することが必要とされる。
【０００３】
このような洗浄材として、例えば、特許第２８６９０９６号公報（特許文献１）には、バインダー未使用の水解性繊維シートの両面に、水溶性バインダーで接着された水解性繊維シートを積層し、エンボス加工した積層シートに、水溶性溶剤をおよび水を含有する清浄剤を含浸させてなる水解性清掃物品が記載されている。
【０００４】
また、特許第４２１９２６７号公報（特許文献２）には、水溶性または水膨潤性のバインダーを含有する水解紙に、水溶性のバインダーを不溶化または水膨潤性のバインダーを膨潤させづらくする架橋剤、ゲル化剤、塩析物質、有機溶剤から選択される少なくとも一種の剤を含有する水性洗浄剤を含浸させてなる水解性清掃物品が記載されている。
【０００５】
また、特許第３８６５５０６号公報（特許文献３）には、平均繊維長が異なる広葉樹パルプからなる繊維と針葉樹パルプからなる繊維とを含む繊維ウェッブに、繊維を結合する水不溶性又は水膨潤性のバインダーが含有されてなる水解性の繊維シートが記載され、有機溶剤を添加して、清掃用として拭き取り作業に使用できることが記載されている。
【０００６】
しかしながら、従来の洗浄材の多くは、頑固にこびりついた汚れを除去しようとしても容易に除去することができないために、拭き取り作業を繰り返し行うことが必要とされ、また、拭き取り作業を繰り返し行うことによって、洗浄材の破れや使用する洗浄材枚数の増大を招く場合があり、利用者にとって作業的及び経済的に負担となっていた。また、使用する洗浄材の枚数増加は、トイレに流し捨てた際に詰まりの原因となる場合があった。
【０００７】
このため、汚れを容易に除去することを可能とする、優れた洗浄効果を有する洗浄材が切望されていた。
【先行技術文献】
【特許文献】
【０００８】
【特許文献１】特許第２８６９０９６号公報
【特許文献２】特許第４２１９２６７号公報
【特許文献３】特許第３８６５５０６号公報
【発明の概要】
【発明が解決しようとする課題】
【０００９】
本発明は、このような事情に鑑みなされたもので、汚れを容易に除去することを可能とする、優れた洗浄効果を有する洗浄材を提供することを目的とする。
【課題を解決するための手段】
【００１０】
本発明者は、上記課題を解決すべく鋭意検討した結果、酸化エチレン／酸化プロピレン／酸化エチレン共重合体と水溶性溶剤を水と共に含む洗浄剤組成物を用いた洗浄により、汚れに対する優れた除去効果を得ることができると共に、洗浄面に防汚性能を付与することができ、汚れを着きにくくし、汚れの除去をさらに容易にできることを見出した。
【００１１】
また、当該洗浄剤組成物を含浸させた洗浄材によれば、汚れに対する優れた除去効果により少ない拭き取り作業により汚れを除去することができると共に、洗浄面に防汚性能を付与することができ、汚れを着きにくくし、汚れの除去をさらに容易にできることを見出した。
【００１２】
本発明は、これらの知見に基づくものであり、以下の発明を包含する。
［１］  （Ａ）下記の式：
ＨＯ−（Ｃ2Ｈ4Ｏ）ｎ−（Ｃ3Ｈ6Ｏ）ｍ−（Ｃ2Ｈ4Ｏ）ｌ−Ｈ（ただし、ｎ、ｍおよびｌは０ではない整数）
で表される、酸化エチレン／酸化プロピレン／酸化エチレン共重合体０．０５質量％以上、２０質量％未満、
（Ｂ）水溶性溶剤０．１〜７０質量％、および
（Ｃ）水を残質量％、
含有する洗浄剤組成物。
［２］  酸化エチレン／酸化プロピレン／酸化エチレン共重合体の平均分子量が、４，０００以上、２５，０００以下である、［１］の洗浄剤組成物。
［３］  酸化エチレン／酸化プロピレン／酸化エチレン共重合体の平均分子量中に占める酸化エチレンの割合が５０質量％以上、８５質量％以下である、［１］または［２］の洗浄剤組成物。
［４］  水溶性溶剤がアルコールである、［１］〜［３］のいずれかの洗浄剤組成物。
［５］  さらに、界面活性剤を含む、［１］〜［４］のいずれかの洗浄剤組成物。
［６］  キレート剤および無機ビルダーが１質量％未満の量であるか、または、含まれない、［１］〜［５］のいずれかの洗浄剤組成物。
［７］  ［１］〜［６］のいずれかの洗浄剤組成物を含浸させた水解性シートからなる洗浄材。
［８］  トイレ清掃用の用途である、［１］〜［６］のいずれかの洗浄剤組成物または［７］の洗浄材。
【発明の効果】
【００１３】
本発明によれば、汚れを容易に除去することを可能とする、優れた洗浄効果を有する洗浄剤組成物ならびに当該洗浄剤組成物を含浸させた洗浄材を提供することができる。
【発明を実施するための形態】
【００１４】
１．洗浄剤組成物
本発明は、（Ａ）酸化エチレン／酸化プロピレン／酸化エチレン共重合体、（Ｂ）水溶性溶剤、および（Ｃ）水を含有する洗浄剤組成物に関する。
【００１５】
本発明において、「酸化エチレン／酸化プロピレン／酸化エチレン共重合体」は下記の式：
ＨＯ−（Ｃ2Ｈ4Ｏ）ｎ−（Ｃ3Ｈ6Ｏ）ｍ−（Ｃ2Ｈ4Ｏ）ｌ−Ｈ
（式中、ｎ、ｍおよびｌは０ではない整数である）で表される。
【００１６】
酸化エチレン／酸化プロピレン／酸化エチレン共重合体は、従来公知の手法に基づいてブロック重合法またはランダム重合法により製造することが可能である。例えば、ブロック重合法によれば、高温高圧下の反応重合釜で、プロピレングリコールを出発原料とし、最初にプロピレンオキサイドガスを噴き込み反応させ、ポリプロピレングリコールを形成させ、次いでエチレンオキサイドガスを噴き込んで反応させることにより製造することができる。本手法により製造された酸化エチレン／酸化プロピレン／酸化エチレン共重合体は、酸化プロピレンを中心とし、その両側に酸化エチレンが付加された形態を有する。
【００１７】
本発明において、酸化エチレン／酸化プロピレン／酸化エチレン共重合体は平均分子量を４，０００以上とすることができる。酸化エチレン／酸化プロピレン／酸化エチレン共重合体の平均分子量が４，０００未満の場合、被洗浄物表面への吸着力が弱く、被洗浄物表面に酸化エチレン／酸化プロピレン／酸化エチレン共重合体よりなる親水性の単分子皮膜の形成が不十分となる場合があり、防汚性能の低下を生じる場合がある。酸化エチレン／酸化プロピレン／酸化エチレン共重合体の平均分子量の上限は特に限定されないが、例えば、２５，０００以下とすることができる。平均分子量が２５，０００よりも大きなものが市販のものでは見あたらないため、上記の平均分子量の上限を設定したが、平均分子量が２５，０００よりも大きなものであっても本発明の要旨に沿い使用を妨げるものではない。好ましくは、酸化エチレン／酸化プロピレン／酸化エチレン共重合体は、８，０００以上、２０，０００以下、例えば、８，５００以上、２０，０００以下の平均分子量を有する。
【００１８】
また、本発明において酸化エチレン／酸化プロピレン／酸化エチレン共重合体は、平均分子量中に占める酸化エチレンの割合が５０質量％以上であるものが好ましい。酸化エチレンの付加率が５０質量％未満のものでは、酸化エチレンの付加率が低く、酸化プロピレンの付加率が高くなるため、被洗浄物表面への吸着力が弱く、被洗浄物表面に酸化エチレン／酸化プロピレン／酸化エチレン共重合体よりなる親水性の単分子皮膜の形成が不十分となる場合があり、防汚性能の低下を生じる場合がある。酸化エチレンの付加率の上限は特に限定されないが８５質量％以下、例えば、８０質量％以下とすることができる。８５質量％を超えると親水性が高まりすぎるために、泡立ちの傾向が大きくなるため好ましくない場合がある。
【００１９】
本発明の洗浄剤組成物において、酸化エチレン／酸化プロピレン／酸化エチレン共重合体は、０．０５質量％以上の量で配合することができる。洗浄剤組成物中、０．０５質量％未満の配合量では、被洗浄物表面への吸着量が少なく、被洗浄物表面に酸化エチレン／酸化プロピレン／酸化エチレン共重合体よりなる親水性の単分子皮膜の形成が不十分となる場合があり、防汚性能の低下を生じる場合がある。酸化エチレン／酸化プロピレン／酸化エチレン共重合体の配合量の上限は特に限定されないが、２０質量％未満とすることができる。２０質量％以上となると、被洗浄物表面にベタつきやムラなどが発生し、却って防汚性能の低下を生じる場合がある。好ましくは、酸化エチレン／酸化プロピレン／酸化エチレン共重合体は洗浄剤組成物中に、０．１質量％以上、１０質量％以下の量で配合することができる。
【００２０】
本発明に用いられる「水溶性溶剤」としては、（１）エタノール、プロパノール、イソプロパノール、ブタノールなどの１価のアルコール、エチレングリコール、ジエチレングリコール、イソプレングリコール、プロピレングリコールなどのアルキレングリコール、グリセリン、ポリグリセリン、１，３−ブタンジオールなどの多価アルコールなどのアルコール類、（２）エチレングリコールモノメチルエーテル、エチレングリコールジメチルエーテル、エチレングリコールモノエチルエーテル、エチレングリコールモノブチルエーテル、プロピレングリコールモノメチルエーテル、プロピレングリコールモノエチルエーテル、プロピレングリコールモノブチルエーテル、プロピレングリコールモノフェニルエーテル、ジエチレングリコールモノメチルエーテル、ジエチレングリコールモノエチルエーテル、ジエチレングリコールモノブチルエーテル、ジプロピレングリコールモノメチルエーテル、ジプロピレングリコールモノエチルエーテル、ジプロピレングリコールモノブチルエーテル、トリエチレングリコールモノブチルエーテル、トリプロピレングリコールジメチルエーテルなどのアルキレングリコール（モノ、ジ）アルキルエーテルなどのグリコールエーテル類、（３）２−ピロリドン、３−ピロリドン、Ｎ−メチル−２−ピロリドン、Ｎ−エチル−２−ピロリドン、Ｎ−プロピル−２−ピロリドンなどのＮ−アルキル−２−ピロリドン、５−メチル−２−ピロリドン、５−エチル−２−ピロリドン、５−プロピル−２−ピロリドンなどの５−アルキル−２−ピロリドン、Ｎ−ビニル−２−ピロリドン、Ｎ−メチル−３−ピロリドン、Ｎ−エチル−３−ピロリドン、Ｎ−プロピル−３−ピロリドンなどのＮ−アルキル−３−ピロリドンなどのピロリドン化合物が挙げられる。水溶性溶剤としては、好ましくはアルコール類であり、特に好ましくはエタノール、プロピレングリコールモノメチルエーテル、ジプロピレングリコールモノメチルエーテル、Ｎ−メチル−２−ピロリドンである。水溶性溶剤は、いずれかを単独で用いてもよいし、２種以上を組み合わせて用いてもよい。
【００２１】
本発明の洗浄剤組成物において、水溶性溶剤は、０．１質量％以上の量で配合することができる。洗浄剤組成物中、０．１質量％未満の配合量では、汚れに対する洗浄力が乏しい場合がある。水溶性溶剤の配合量の上限は特に限定されないが、７０質量％未満とすることができる。７０質量％以上配合しても、洗浄力の効果は飽和状態となり、経済的に不利となる場合がある。好ましくは、水溶性溶剤は洗浄剤組成物中に、０．５質量％以上、６０質量％以下、より好ましくは０．１質量％以上、４０質量％以下の量で配合することができる。
【００２２】
本発明の洗浄剤組成物に用いられる「水」としては、水道水、軟水、イオン交換水、純水、精製水などを利用することができる。貯蔵安定性の点から、軟水、イオン交換水、純水、精製水などの利用することが好ましい。水は、洗浄剤組成物中に、他の成分との総和が１００質量％となるのに必要な量として残質量％配合される。
【００２３】
本発明の洗浄剤組成物には、必要に応じてさらに界面活性剤を含めることができる。本発明において利用可能な界面活性剤としては、非イオン界面活性剤、両性界面活性剤、陰イオン界面活性剤、および陽イオン界面活性剤を挙げることができる。
【００２４】
「非イオン界面活性剤」としては、ポリオキシアルキレンアルキルエーテル、ポリオキシアルキレンアルケニルエーテル、ポリオキシアルキレンアルキルフェニルエーテル、アルキルポリグルコシド、脂肪酸ポリグリセリンエステル、脂肪酸ショ糖エステル、脂肪酸アルカノールアミドなどを利用することができる。好ましくは、ポリオキシアルキレンアルキルエーテル、アルキルポリグルコシド、脂肪酸アルカノールアミドを利用することができる。
【００２５】
「両性界面活性剤」としては、アルキルカルボキシベタイン、アルキルスルホベタイン、アルキルヒドロキシスルホベタイン、アルキルアミドベタイン、イミダゾリニウムベタイン、アルキルジアミノエチルグリシン、ジアルキルジアミノエチルグリシン、アルキルアミンオキサイド、アルキルエーテルアミンオキサイド、アミドアミンオキサイドなどを利用することができる。好ましくは、アルキルアミドベタインやアルキルアミンオキサイドを利用することができる。
【００２６】
「陰イオン界面活性剤」としては、アルキル硫酸塩、アルキル硫酸エステル塩、アルキルベンゼン硫酸塩、アルファオレフィンスルホン酸塩、メタキシレンスルホン酸塩、パラキシレンスルホン酸塩、クメンスルフォン酸塩などを利用することができる。これらの陰イオン界面活性剤の対イオンは、ナトリウム、マグネシウム、アンモニウム、エタノールアミンなどである。好ましくは、ラウリル硫酸ナトリウム、ラウリル硫酸アンモニウム、ラウリル硫酸エステルナトリウム、ラウリル硫酸エステルアンモニウムを利用することができる。
【００２７】
「陽イオン界面活性剤」としては、抗菌剤としても利用可能な、アルキルトリメチルアンモニウム塩、ジアルキルジメチルアンモニウム塩、アルキルジメチルアンモニウムアジペート、ベンザルコニウム塩、ベンゼントニウム塩、ピリジニウム塩、イミダゾリニウム塩、ビグアニド化合物などを利用することができる。これらの陽イオン界面活性剤の対イオンは、ハロゲンなどである。好ましくは、これらの陽イオン界面活性剤のうち、抗菌剤としても利用可能な塩化ベンザルコニウムやジアルキルジメチルアンモニウムクロライドが好ましい。
【００２８】
界面活性剤は、いずれかを単独で用いてもよいし、２種以上を組み合わせて用いてもよい。
【００２９】
本発明の洗浄剤組成物において、界面活性剤は、０．１質量％以上、５．０質量％以下、好ましくは、０．２質量％以上、３．０質量％以下、より好ましくは０．２質量％以上、２．５質量％以下、の量で配合することができる。洗浄剤組成物中、０．１質量％未満の配合量では、洗浄力が乏しい場合がある。また、５．０質量％以上配合しても、洗浄力は飽和状態となり、経済的に不利となる場合がある。
【００３０】
また、本発明の洗浄剤組成物には、必要に応じてさらに他の添加剤、例えば、抗菌剤、染料、香料、防臭剤、消臭剤、防腐剤、金属腐食抑制剤などを、本発明の洗浄効果を損なわない範囲で適宜配合することができる。
【００３１】
本発明の洗浄組成物は、キレート剤および無機ビルダーを含まないか、それらは含まれても１質量％未満程度であることが好ましい。キレート剤および／または無機ビルダー等の乾燥時に固化する成分が配合されることにより、濡れ性や防除性が低下する場合がある。
【００３２】
本発明において、洗浄剤組成物は、上記各成分が液体である場合には混合攪拌することにより、また固形成分を含む場合には水にまず溶解後、他の液体成分を添加し混合攪拌することにより製造することができる。各成分の添加順序、溶解順序、必要に応じて行われる加温／冷却などの製造手順は、特に制限されるものではない。
【００３３】
本発明の洗浄剤組成物のｐＨは、弱酸性〜弱アルカリ性の範囲とすることができる。ｐＨ調整は、水酸化ナトリウム、水酸化カリウムなどの水酸化アルカリ、炭酸ナトリウム、炭酸カリウムなどの炭酸塩、ケイ酸ナトリウム、ケイ酸カリウムなどのケイ酸塩、モノエタノールアミン、ジエタノールアミンなどのアミン、アンモニア、塩酸、硫酸などの無機酸、クエン酸、酢酸などの有機酸などを適宜加えて行うことができる。ｐＨは、公知の手法（例えば、ＪＩＳ  Ｚ−８８０２：２０１１「ｐＨ測定方法」）に従って測定することができる。
【００３４】
２．洗浄材
本発明の洗浄剤組成物は不織布に含浸させて洗浄材とすることができる。不織布の形態は特に限定はされないが、使用後にトイレなどに流し捨てることが可能な、水解性シートが好ましい。
【００３５】
本発明において「水解性シート」は特に限定されず、公知のものを利用することが可能であるが、例えば、木材パルプ繊維、非木材系パルプ繊維、古紙パルプ繊維、レーヨン繊維、ポリエステル繊維などの繊維から構成される不織布シートを利用することができる。
【００３６】
水解性シートに用いられる繊維の平均繊維長は、拭き掃除に用いられる水解性シートにおいて一般的なものを選択することが可能であり、特に限定されないが、例えば、０．０１ｍｍ〜１５ｍｍ程度、好ましくは０．１ｍｍ〜１０ｍｍ程度、より好ましくは１ｍｍ〜５ｍｍ程度の範囲より選択される長さとすることができる。
【００３７】
繊維は、いずれかを単独で用いてもよいし、種類や平均繊維長が異なる２種以上の繊維を組み合わせて用いてもよい。
【００３８】
水解性シートは、不織布の一般的な製造方法、例えば、湿式法、乾式法、サーマルボンド法、スパンボンド法、ウォータージェット法を用いて行うことができる。水解性シートの製造において、バインダーは水解性シートの原料中に内添または外添することができる。あるいは、バインダーは水解性シートに含浸させる上記洗浄剤組成物中に含めてもよい。
【００３９】
「バインダー」としては、水解性シートを構成する繊維を互いに結合させることができる水溶性バインダーを使用することができ、用いる繊維に応じて適宜選択することができる。このような水溶性バインダーとしては、カルボキシメチルセルロース、カルボキシエチルセルロース、カルボキシメチル化デンプンまたはそれらの塩、不飽和カルボン酸の重合体もしくは共重合体またはそれらの塩、ポリアクリル酸、ポリメタクリル酸、アクリル酸メタクリル酸共重合体、アクリル酸もしくはメタクリル酸とアクリル酸アルキルもしくはメタクリル酸アルキルとの共重合体またはそれらの塩、アルギン酸ナトリウム、ザンサンガム、ジェランガム、タラガントガム、ペクチンなどが挙げられる。好ましくは、カルボキシメチルセルロースまたはそのアルカリ金属塩である。バインダーは、いずれかを単独で用いてもよいし、２種以上を組み合わせて用いてもよい。
【００４０】
バインダーは水解性シートを構成する繊維を互いに結合させることを可能とする量で配合することができ、特に限定はされないが、例えば、水解性シートの乾燥質量に対し１質量％〜３０質量％程度、好ましくは１質量％〜２０質量％程度、より好ましくは１質量％〜１０質量％程度の範囲より選択される量を配合することができる。
【００４１】
水解性シートには、必要に応じて架橋剤を含めることができる。架橋剤は、バインダーを架橋して水解性シートの繊維同士の結合を強固にすることができるものであればよく、用いるバインダーに応じて適宜選択することができる。このような架橋剤としては、ホウ酸、２価または３価金属（例えば、スズ、銅、アルミニウム、鉄、カルシウム、ストロンチウム、バリウム、亜鉛、コバルト、ニッケルなど）の塩が挙げられる。例えば、バインダーがカルボキシメチルセルロースまたはそのアルカリ金属塩である場合、架橋剤としてはホウ酸や２価金属塩を好適に利用することができる。架橋剤はバインダーを架橋して水解性シートの繊維同士の強固な結合を可能とする量で配合することができ、特に限定はされないが、例えば、水解性シートに含浸させる洗浄剤組成物中に、１質量％〜５質量％程度の範囲より選択される量で配合することができる。
【００４２】
水解性シートの坪量は、拭き掃除に用いられる水解性シートにおいて一般的な坪量を選択することが可能であり、特に限定はされないが、例えば、１ｇ／ｍ2〜１５０ｇ／ｍ2程度、好ましくは１ｇ／ｍ2〜１００ｇ／ｍ2程度、より好ましくは１ｇ／ｍ2〜５０ｇ／ｍ2程度の範囲より選択することができる。
【００４３】
水解性シートは、繊維、坪量などが異なる複数の水解性シートが重ね合わされた積層シートであってもよい。
【００４４】
また、水解性シートには、ミシン目が施されていてもよい「ミシン目」とは、直線もしくは曲線またはその組み合わせに沿って、複数の小孔が連続的に配置されたものを意味する。小孔の形状は特に限定されないが、その直径、長径、または最も長い対角線の長さが０．５ｍｍ〜５ｍｍ程度、好ましくは１ｍｍ〜５ｍｍ程度とすることができる。また、ミシン目上の隣り合う小孔の間隔は０．５ｍｍ〜５ｍｍ程度、好ましくは１ｍｍ〜５ｍｍ程度とすることができる。水解性シートにミシン目が施されていることによって、水への分散性を高めることができる。
【００４５】
また、水解性シートにはエンボス加工が施されていてもよい。エンボス加工による凹凸のパターンは特に限定されず、凹部と凸部の繰り返しのパターンとすることができ、隣り合う凹部と凹部または凸部と凸部の間隔を１ｍｍ〜１５ｍｍ程度、好ましくは１ｍｍ〜１０ｍｍ程度とすることができる。また、凹部頂点と凸部頂点との差（溝の深さ）は１ｍｍ〜５ｍｍ程度とすることができる。水解性シートにエンボス加工が施されていることによって、被洗浄面に対して凸部に力をより限局させることができ、拭き掃除における汚れの除去や洗浄を助けることができる。
【００４６】
水解性シートには、上記洗浄剤組成物を当該水解性シートの質量（乾燥質量）に対して、１００質量％〜５００質量％程度、好ましくは１５０質量％〜３００質量％程度の量で含浸させることができる。洗浄剤組成物の含浸量が１００質量％未満である場合には、洗浄力が乏しい場合がある。また、洗浄剤組成物の含浸量が５００質量％を越える場合には、洗浄力の効果は飽和状態となり経済的に不利となる場合がある。
【００４７】
水解性シートへの洗浄剤組成物の含浸は、上記範囲の含浸量が達成されればよく特に限定はされないが、水解性シートへの洗浄剤組成物の添加、塗布、滴下、噴霧など、または洗浄剤組成物への水解性シートの浸漬により行うことができる。
【００４８】
３．用途
本発明の洗浄剤組成物または洗浄材は、被洗浄物表面、例えば、トイレ室内の硬表面、例えば、陶器製品、ガラス製品、ステンレス製品、樹脂製品などの表面、好ましくは、便器、便座、タンク、蛇口、床、壁の表面の拭き掃除に用いることができる。
【００４９】
本発明の洗浄剤組成物を被洗浄物表面に塗布、滴下、噴霧などして拭き掃除することによって、あるいは本発明の洗浄材を用いて被洗浄物表面を拭き掃除することによって、当該表面に酸化エチレン／酸化プロピレン／酸化エチレン共重合体の平均分子量が吸着して親水性の単分子皮膜を形成することができ、これによって当該表面に防汚性を付与して汚れの付着を低減し、また、汚れが付着してもその洗浄、除去を容易にすることができる。
【００５０】
本発明の洗浄剤組成物を被洗浄物表面に塗布、滴下、噴霧などして拭き掃除することによって、あるいは本発明の洗浄材を用いて被洗浄物表面を拭き掃除することによって、汚れの濡れ性が向上し、濡れ広がることで、目視による汚れの付着度合いを低下させることができる。
【００５１】
また、本発明の洗浄剤組成物または洗浄材は優れた洗浄力を有し、汚れの付着した被洗浄物表面に対して、本発明の洗浄剤組成物を塗布、滴下、噴霧などして拭き掃除することによって、あるいは本発明の洗浄材を用いて拭き掃除することによって、当該汚れを容易に洗浄、除去することができる。
【００５２】
本発明の洗浄材は、使用後はトイレに流して廃棄することが可能である。
【実施例】
【００５３】
以下、本発明を実施例により具体的に説明するが、本発明はこれらに限定されるものではない。
【００５４】
１．洗浄剤組成物の調製
下記表１−４の組成に従って、各成分を混合し、洗浄剤組成物として実施例１−２３および比較例１−９を調製した。表中、各成分の量は質量％にて示す。
また、表中の酸化エチレン／酸化プロピレン／酸化エチレン共重合体、界面活性剤、エタノール、キレート剤の各種成分の詳細は以下のとおりである。
【００５５】
酸化エチレン／酸化プロピレン／酸化エチレン共重合体
・ポリオキシエチレンポリオキシプロピレングリコール１：
（分子量約８，７５０、酸化エチレン付加重量率８０％）
商品名：ニューポールＰＥ−６８、三洋化成工業社製
・ポリオキシエチレンポリオキシプロピレングリコール２：
（分子量約１０，２５０、酸化エチレン付加重量率８０％）
商品名：ニューポールＰＥ−７８、三洋化成工業社製
・ポリオキシエチレンポリオキシプロピレングリコール３：
（分子量約１６，２５０、酸化エチレン付加重量率８０％）
商品名：ニューポールＰＥ−１０８、三洋化成工業社製
・ポリオキシエチレンポリオキシプロピレングリコール４：
（分子量約２０，０００、酸化エチレン付加重量率８０％）
商品名：ニューポールＰＥ−１２８、三洋化成工業社製
【００５６】
界面活性剤
・界面活性剤１
（炭素数Ｃ９〜Ｃ１１のアルキルエーテル、エチレンオキサイド８モル付加物）
商品名：ネオドール９１−８Ｔ、有効成分９９％以上、シェルケミカルズ社製
・界面活性剤２
ポリオキシアルキレンアルキルエーテル
商品名：「プルラファックＬＦ−２２４」、ＢＡＳＦ社製（有効成分１００％）
・界面活性剤３：
（塩化アルキルジメチルベンジルアンモニウム）
商品名：カチオンＧ−５０、有効成分５１％、三洋化成工業社製
【００５７】
エタノール
商品名：「トレーサブル９５  １級」、日本アルコール産業株式会社製（９５％）
【００５８】
キレート剤
・キレート剤１
ニトリロ三酢酸三ナトリウム一水和物（ＮＴＡ  ３Ｎａ  Ｈ2Ｏ）
・キレート剤２
エチレンジアミン四酢酸三カリウム（ＥＤＴＡ  ３Ｋ）
【００５９】
２．洗浄材の調製
得られた洗浄剤組成物を、水解性シート（マスコー製紙社製）に含浸させ、各洗浄剤組成物を含む洗浄材を作製した。含浸はスプレーにより行い、水解性シート２ｇ（乾燥重量）に対し、洗浄剤組成物３ｇを含浸させた。
得られた洗浄剤組成物含浸洗浄材を、以下の試験に用いた。
【００６０】
３．洗浄力試験
陶器製タイル（ＬＩＸＩＬ社製  陶器質タイルＬＯＯＫＣ）の表面を、洗浄剤組成物含浸洗浄材を用いて拭き上げ室温に放置した。
【００６１】
次いで、墨汁を含ませたペーパータオルを用いて、陶器製タイルの表面に塗布し（カーボン汚れ）、カーボン汚れが乾燥するまで室温にて放置した。
【００６２】
次いで、洗浄剤組成物含浸洗浄材を用いて、カーボン汚れが付着したタイル表面を、縦横にそれぞれ１０回ずつ拭き取りを行った。
【００６３】
拭き取り終了後、タイルに残るカーボン汚れの程度を目視により、以下の基準に基づいて判定し、各洗浄剤組成物含洗浄材の洗浄力を評価した。
判定基準
◎：７５〜１００％の汚れが除去されている。
○：５０〜７５％の汚れが除去されている。
△：２５〜５０％の汚れが除去されている。
×：２５％未満の汚れが除去されている。
結果を、下記表１−４に示す。
【００６４】
４．汚染度試験
陶器製タイル（ＬＩＸＩＬ社製  陶器質タイルＬＯＯＫＣ）の表面を、洗浄剤組成物含浸洗浄材を用いて拭き上げ室温に放置した。
【００６５】
次いで、人工尿（水、尿素、リン酸カルシウム）５０μＬを滴下し、人工尿が乾燥するまで室温にて放置した。
【００６６】
タイル表面の乾燥した汚れの程度を目視により、以下の基準に基づいて判定し、各洗浄剤組成物含洗浄材の汚染度を評価した。
判定基準
◎：  汚れがほとんど目立たない。
○：  汚れの輪郭がわずかに認識できる。
△：  汚れの輪郭が認識できる。
×：  汚れが輪郭が目立つ。
結果を、下記表１−４に示す。
【００６７】
５．濡れ性試験
陶器製タイル（ＬＩＸＩＬ社製  陶器質タイルＬＯＯＫＣ）の表面を、洗浄剤組成物含浸洗浄材を用いて拭き上げ室温に放置した。
【００６８】
次いで、水道水５ｍＬを滴下し、室温にて２分間放置した。
【００６９】
水滴の直径を測定し、以下の基準に基づいて判定し、各洗浄剤組成物含洗浄材の濡れ性を評価した。
判定基準
◎：  水滴の直径が２．０ｍｍ以上
○：  水滴の直径が１．７〜２．０ｍｍ
△：  水滴の直径が１．５〜１．７ｍｍ
×：  水滴の直径が１．５ｍｍ以下
結果を、下記表１−４に示す。
【００７０】
【表１】
2019104798.tif 000002
【表２】
2019104798.tif 000003
【表３】
2019104798.tif 000004
【表４】
2019104798.tif 000005
【００７１】
上記の結果から、実施例１〜２３品は、貯蔵安定性、洗浄性、防汚性、濡れ性のいずれの試験項目においても、良好な性能を示すことがわかる。
以上のように、本発明の洗浄剤組成物は、特定、かつ所定量の酸化エチレン／酸化プロピレン／酸化エチレン共重合体、水溶性溶剤、および水を組み合わせることにより、被洗浄面に対し優れた防汚効果と優れた洗浄効果を発揮することが明らかとなった。
したがって、本発明の洗浄剤組成物は、特にトイレ掃除において好適に用いることができる。